(57)【要約】【課題】操作部からの操作信号の受信性能を向上させることができると共に、掃除機本体の外観を向上させることができる電気掃除機を提供することを課題とする。【解決手段】集塵部及び電動送風機を有する掃除機本体１と、一端側が掃除機本体１の一側面に着脱自在に接続されるホース２とを備えた電気掃除機において、前記電動送風機を駆動操作する操作部９はホース２の一端側の端部近傍に設けられ、操作部９からの操作信号は無線により掃除機本体１側へ送信されると共に、操作信号を受信する受信部４は掃除機本体１の一側面に設けられる。【選択図】         図１
2005245804.tif 000002
【特許請求の範囲】
【請求項１】
集塵部及び電動送風機を有する掃除機本体と、一端側が掃除機本体の一側面に着脱自在に接続されるホースとを備えた電気掃除機において、前記電動送風機を駆動操作する操作部はホースの一端側の端部近傍に設けられ、操作部からの操作信号は無線により掃除機本体側へ送信されると共に、操作信号を受信する受信部はホースが接続される掃除機本体の前記一側面に設けられていることを特徴とする電気掃除機。
【請求項２】
前記操作信号を無線により送信する送信部は、ホースを掃除機本体に装着した際に受信部と略対向する位置に配置されていることを特徴とする請求項１記載の電気掃除機。
【請求項３】
前記操作部は、ホースに着脱自在に装着されていることを特徴とする請求項１または請求項２記載の電気掃除機。
【請求項４】
前記操作部は、ホースと掃除機本体との挟持により装着されていることを特徴とする請求項３記載の電気掃除機。
【請求項５】
前記操作部には、位置決め手段が形成されていることを特徴とする請求項４記載の電気掃除機。
【請求項６】
前記ホースには、掃除機本体に着脱自在に係合する係合手段と係合手段を解除する係合解除手段が配置され、係合解除手段と操作部とは、略直行する位置に夫々配置されていることを特徴とする請求項１乃至請求項５の何れか１項に記載の電気掃除機。
【発明の詳細な説明】
【技術分野】
【０００１】
本発明は、電気掃除機に関し、特に、掃除機本体内に配置された電動送風機を駆動させる操作信号を操作部から無線で送信する電気掃除機に関する。
【背景技術】
【０００２】
従来、掃除機本体内に配置された電動送風機を駆動させる操作信号を操作部から無線で送信する電気掃除機は、延長パイプとホースとの接続部近傍に位置する手元操作部に電動送風機への操作信号を無線で送信する操作部を配置すると共に、その操作信号を受信する受信部を掃除機本体上面に配置した電気掃除機が知られている（例えば、特許文献１参照）。
【特許文献１】特開平６−９８８４２号公報
【発明の開示】
【発明が解決しようとする課題】
【０００３】
しかしながら、操作部が配置されている手元操作部は、使用者の使用状態によりどちらの方向を向くか分からないため、操作部からの操作信号を受信部で受信することができなくなる虞がある。この場合、使用者が所望の運転を選択しているのも係わらず運転状態が切換わらないため、使い勝手が悪くなる欠点がある。
【０００４】
また、受信部は、操作部からの操作信号を受信し易いようにするために、受信部を掃除機本体の上面に配置すると共に、受信部を大きく形成して受信可能範囲を広げる必要がある。この結果、受信部が掃除機本体の外観を損なう欠点がある。
【０００５】
本発明は、このような課題を解決するためになされたものであり、操作部からの操作信号の受信性能を向上させることができると共に、掃除機本体の外観を向上させることができる電気掃除機を提供することを課題とする。
【課題を解決するための手段】
【０００６】
上記課題を解決するための第１の手段は、集塵部及び電動送風機を有する掃除機本体と、一端側が掃除機本体の一側面に着脱自在に接続されるホースとを備えた電気掃除機において、前記電動送風機を駆動操作する操作部はホースの一端側の端部近傍に設けられ、操作部からの操作信号は無線により掃除機本体側へ送信されると共に、操作信号を受信する受信部はホースが接続される掃除機本体の前記一側面に設けられていることを特徴とする。
【０００７】
上記課題を解決するための第１の手段において、前記操作信号を無線により送信する送信部は、ホースを掃除機本体に装着した際に受信部と略対向する位置に配置されてもよい。
【０００８】
また、前記操作部は、ホースに着脱自在に装着されてもよい。
【０００９】
また、前記操作部は、ホースと掃除機本体との挟持により装着されてもよい。
【００１０】
また、前記操作部には、位置決め手段が形成されてもよい。
【００１１】
また、前記ホースには、掃除機本体に着脱自在に係合する係合手段と係合手段を解除する係合解除手段が配置され、係合解除手段と操作部とは、略直行する位置に夫々配置され
てもよい。
【発明の効果】
【００１２】
本発明の請求項１の構成によれば、受信部は掃除機本体の側面に設けられているため、受信部を目立ち難くすることができ、掃除機本体の外観を向上させることができると共に、送信部はホースを掃除機本体に装着した際に、掃除機本体の受信部と同じ面に位置するため、受信性能を向上させることができる。また、送信部と受信部とは近接した位置関係にあるため、操作部の電池が消耗気味になり操作信号が弱くなった場合でも、弱くなった操作信号を受信部で受信することができ、電池の長寿命化を図ることができる等の効果を奏する。
【００１３】
本発明の請求項２の構成によれば、送信部はホースを掃除機本体に装着した際に受信部と略対向する位置に配置されているため、受信性能をさらに向上させることができる等の効果を奏する。
【００１４】
本発明の請求項３の構成によれば、操作部はホースと別体になっているため、操作部の組立を行った後にホースと一体化することができ、組立作業性を向上させることができると共に、操作部はホースに着脱自在に構成されているため、操作部のメンテナンス性を向上させることができる等の効果を奏する。
【００１５】
本発明の請求項４の構成によれば、操作部はホースの掃除機本体への装着により固定することができるため、組立作業性をさらに向上させることができる等の効果を奏する。
【００１６】
本発明の請求項５の構成によれば、操作部は位置決め手段によりホースに仮固定することができ、組立作業性をさらに向上させることができる等の効果を奏する。
【００１７】
本発明の請求項６の構成によれば、係合解除手段が配置されている面と操作部が配置されている面とは略直行する位置関係にあるため、ホースを掃除機本体から取り外そうとして係合解除手段を操作した際に誤って操作部に触れる虞はなく誤動作を防止することができる等の効果を奏する。
【発明を実施するための最良の形態】
【００１８】
（第１実施形態）
本発明に係る電気掃除機の第１実施形態を図１乃至図６に基づいて説明する。
【００１９】
第１実施形態の電気掃除機は、図示しない集塵部及び電動送風機を備えた掃除機本体１と、一端側が掃除機本体１に着脱自在に装着されるホース２とから構成されている（図１参照）。ホース２の他端側は図示しない床用吸込具に連通している。
【００２０】
掃除機本体１の前側面には、集塵部に連通すると共に、ホース２の一端側が着脱自在に挿入される吸塵口３が開口している。吸塵口３の上方近傍には、後述する操作部９からの操作信号を受信する受信部４が目立ち難いように小さく設けられている（図６参照）。また、受信部４で受信された操作信号は電動送風機へ伝達されるようになっている。
【００２１】
ホース２の一端側にはジョイント部５が形成されている。ジョイント部５には、掃除機本体１の吸塵口３に着脱自在に挿入される挿入部６が形成されている。また、ジョイント部５の側面には、掃除機本体１に係脱自在に係合する係合手段としての係合部７が配置されていると共に、係合部７の係合を解除する係合解除手段としてのフック８が配置されている。
【００２２】
係合部７とフック８は図示しない付勢手段により外方に付勢されており、この状態で係合部７は掃除機本体１に係合するようになっている。ホース２を掃除機本体１から取り外す際には、フック８を内方に押圧することにより係合部７も内方に移動して係合部７の掃除機本体１への係合が解除されるため、ホース２を掃除機本体１から取り外すことができるようになっている（図１、図２参照）。
【００２３】
ジョイント部５の上面には電動送風機の運転を選択する操作部９が形成されている。操作部９の掃除機本体１側には、操作部９の操作信号を音波、光または電波等の無線で送信する送信部１０が設けられている（図１、図２参照）。送信部１０は、ホース２を掃除機本体１に装着した際に受信部４と略対向する位置に配置されている。操作部９内には操作信号を無線で送信するための電源となる図示しない電池が配置されている。
【００２４】
この第１実施形態の構成により、受信部４は掃除機本体１の側面に設けられているため、受信部４を目立ち難くすることができ、掃除機本体１の外観を向上させることができる。
また、送信部１０はホース２を掃除機本体１に装着した際に、掃除機本体１の受信部４と同じ面に位置するため、受信性能を向上させることができる。さらに、送信部１０はホース２を掃除機本体１に装着した際に受信部４と略対向する位置に配置されているため、受信部４を小さく形成しても受信部４は確実に操作信号を受信することができ、受信性能をさらに向上させることができると共に、受信部４を小さく形成した分だけさらに掃除機本体１の外観を向上させることができる。
【００２５】
また、送信部１０と受信部４とは近接した位置関係にあるため、操作部９の電池が消耗気味になり操作信号が弱くなった場合でも、弱くなった操作信号を受信部４で受信することができ、電池の長寿命化を図ることができる。また、操作部９と掃除機本体１との間で電気配線を行う必要がないため、構成を簡素化することができる。
【００２６】
また、ジョイント部５のフック８が配置されている面と、操作部９が配置されている面とは、略直行する位置関係にある。従って、ホース２を掃除機本体１から取り外そうとしてフック８を操作した際に、誤って操作部９に触れる虞はなく、誤動作を防止することができる。
【００２７】
（第２実施形態）
図７乃至図１０は本発明に係る電気掃除機の第２実施形態を示している。尚、第１実施形態と同一部品については同一符号を付して説明を省略する。
【００２８】
第１実施形態では、操作部９をホース２と一体に形成したが、第２実施形態では、操作部９ａを載置した操作部ユニット１１をホース２と別体に形成している。
【００２９】
ジョイント部５ａの反掃除機本体側には、操作部９ａを載置した操作部ユニット１１が螺子１２により固定されている（図９参照）。操作部ユニット１１の反掃除機本体側には、ジョイント部５ａに連通すると共に、ホース２の一端側が着脱自在に装着される装着部１３が開口している（図１０参照）。ホース２を操作部ユニット１１の装着部１３に装着した際には、ホース２の一端側に形成された接続部１４が操作部ユニット１１に当接することにより、ホース２とジョイント部５ａとの気密性が保たれるようになっている（図８、図９参照）。また、操作部ユニット１１には着脱クランプ１５が形成されており、操作部ユニット１１からホース２を取り外す際に操作するようになっている（図８参照）。
【００３０】
この第２実施形態の構成により、操作部９ａを載置した操作部ユニット１１はホース２と別体になっているため、操作部９ａの組立を行った後にホース２と一体化することがで
き、組立作業性を向上させることができる。また、操作部ユニット１１とホース２とは着脱自在に構成されているため、操作部９ａのメンテナンス性を向上させることができる。
【００３１】
（第３実施形態）
図１１乃至図１７は本発明に係る電気掃除機の第３実施形態を示している。尚、第１実施形態または第２実施形態と同一部品については同一符号を付して説明を省略する。第３実施形態の操作部ユニット１１ａも第２実施形態と同様にホース２と着脱自在に構成されている。
【００３２】
第３実施形態の操作部ユニット１１ａは、電池及び操作部９の図示しない制御基板を収納するケース１６と、ケース１６の開口を覆うと共に、操作部９ｂが形成されたカバー１７と、カバー１７をケース１６に固定するネジ１８とから構成されている（図１４参照）。また、ケース１６にはホース２のジョイント部５ｂが摺動自在に挿入される挿通部１９が開口されると共に、挿通部１９の一部には位置決め凹部２０が形成されている（図１５参照）。
【００３３】
ホース２のジョイント部５ｂの外周面には、ホース２の軸方向に位置決め凹部２０に係合する位置決め凸部２１が形成されている。位置決め凸部２１には、フック８及び係合部７が配置されている。ジョイント部５ｂのホース２側には段部２２が形成されている（図１６、図１７参照）。
【００３４】
操作部ユニット１１ａは、位置決め凹部２０をジョイント部５ｃの位置決め凸部２１の位置に合わせて、段部２２に当接するまで挿入される（図１２、図１３参照）。この結果、操作部ユニット１１ａは段部２２によりホース２側への移動が規制されると共に、位置決め凹部２０の位置決め凸部２１への係合によりホース２の外周方向への回転が規制される。この状態で挿入部６を掃除機本体１の吸塵口３内に挿入することにより操作部ユニット１１ａは掃除機本体１とホース２とで挟持されて固定される。
【００３５】
この第３実施形態の構成により、操作部９ｂを載置した操作部ユニット１１ａはホース２と別体になっているため、操作部９ｂの組立を行った後にホース２と一体化することができ、組立作業性を向上させることができる。また、操作部ユニット１１ａは、ジョイント部５ｂに形成された段部２２及び位置決め凸部２１により容易に仮固定することができると共に、ジョイント部５ｂの掃除機本体１への装着により固定することができるため、組立作業性をさらに向上させることができる。また、操作部ユニット１１とホース２とは着脱自在に構成されているため、操作部９ａのメンテナンス性を向上させることができる。
【図面の簡単な説明】
【００３６】
【図１】本発明を実施するための第１実施形態の電気掃除機の上面図である。
【図２】同電気掃除機の操作部の上面図で、ホースを掃除機本体から取り外した状態を示す。
【図３】図２を側面から見た側面図である。
【図４】図１を側面からみた側面図である。
【図５】図１を他の側面から見た側面図である。
【図６】同電気掃除機の掃除機本体の前面図である。
【図７】本発明を実施するための第２実施形態の電気掃除機の上面図である。
【図８】同電気掃除機の操作部の上面図で、ホースを掃除機本体から取り外した状態を示す。
【図９】同電気掃除機の操作部の上面図で、ホースから操作部を取り外した状態を示す。
【図１０】同電気掃除機の操作部をホース側から見た側面図である。
【図１１】本発明を実施するための第３実施形態の電気掃除機の上面図である。
【図１２】同電気掃除機の掃除機本体に接続される側のホース端部の上面図で、ホースを掃除機本体から取り外した状態を示す。
【図１３】図１２を掃除機本体側から見た側面図である。
【図１４】同電気掃除機の操作部の上面図である。
【図１５】図１４を掃除機本体側から見た側面図である。
【図１６】同電気掃除機の掃除機本体に接続される側のホース端部の上面図で、操作部を取り外した状態を示す。
【図１７】図１６を掃除機本体側から見た側面図である。
【符号の説明】
【００３７】
１    掃除機本体
２    ホース
４    受信部
７    係合部（係合手段）
８    フック（係合解除手段）
９    操作部
１０  送信部
２０  位置決め凹部（位置決め手段）
２１  位置決め凸部（位置決め手段）
２２  段部（位置決め手段）
【図１】
2005245804.tif 000003
【図２】
2005245804.tif 000004
【図３】
2005245804.tif 000005
【図４】
2005245804.tif 000006
【図５】
2005245804.tif 000007
【図６】
2005245804.tif 000008
【図７】
2005245804.tif 000009
【図８】
2005245804.tif 000010
【図９】
2005245804.tif 000011
【図１０】
2005245804.tif 000012
【図１１】
2005245804.tif 000013
【図１２】
2005245804.tif 000014
【図１３】
2005245804.tif 000015
【図１４】
2005245804.tif 000016
【図１５】
2005245804.tif 000017
【図１６】
2005245804.tif 000018
【図１７】
2005245804.tif 000019